(57)【要約】【課題】電子部品に押圧力が加わった場合、その履歴が残るようにして点検修理などに容易に対応できる携帯電話機を提供する。【解決手段】回路基板８，９に実装されて互いに対向する２個の半導体デバイス１０，１１のうちの一方の半導体デバイス１０に感圧記録シート１２を貼り付ける。携帯電話機を落とすなどして外ケースが変形すると、その影響を受けて２個の半導体デバイス１０，１１が互いに接触して押圧力を及ぼし合う。すると、感圧記録シート１２の押圧力を受けた部分が発色する。このため、携帯電話機１を落として故障した場合、感圧記録シート１２が発色しているか否かを見て発色していれば、その半導体デバイスを点検することにより故障の原因となった半導体デバイスを容易に見付けることができる。【選択図】  図１
2004207853.tif 000002
【特許請求の範囲】
【請求項１】
外ケースの内部に電子部品を配設してなる携帯端末において、
前記電子部品および当該電子部品と対向する部品のうちの少なくとも一方に、他方と接したとき発色または他方に着色する接触記録手段を設けたことを特徴とする携帯機器。
【請求項２】
前記電子部品および当該電子部品と対向する部品のうち一方に前記接触記録手段を設け、他方に前記接触記録手段と対向するように弾性材からなる錐状の押圧部材を設けたことを特徴とする請求項１記載の携帯機器。
【発明の詳細な説明】
【０００１】
【発明の属する技術分野】
本発明は外ケースの内部に電子部品を組み込んでなる携帯機器に係り、特に電子部品が押圧力を受けたことを記録できるようにしたものに関する。
【０００２】
【従来の技術】
携帯機器、例えば携帯電話機などの携帯端末は、各種の電子部品を実装した回路基板をプラスチック製の外ケース内に組み込んで構成されている。
なお、本件発明とは直接の関係はないが、感圧記録シートに関する技術として下記の特許文献１がある。
【０００３】
【特許文献１】
特開平８−９０９０６号公報
【０００４】
【発明が解決しようとする課題】
携帯機器は、使用者が絶えず身に携えて持ち運びするものであるため、落としたり、何かにぶつけてしまったり、物の間に挟まれてしまったりといったことが良く起きる。このようなことが生ずると、プラスチック製の外ケースが変形して電子部品に大きな押圧力が作用し、壊れることがある。しかしながら、押圧力を受けて壊れてしまっても、電子部品にはその痕跡が残らないため、点検修理の対応や、再発防止対策などが難しいという問題があった。
【０００５】
本発明は上記事情に鑑みてなされたものであり、その目的は、電子部品に押圧力が加わった場合、その履歴が残るようにして点検修理などに容易に対応することができる携帯機器を提供するにある。
【０００６】
【課題を解決するための手段】
携帯機器を落としたりしてケースが変形したりすると、そのケースの変形などにより、電子部品が他の部品に当たったり、或は他の部品が電子部品に当たったりして電子部品が壊れることがある。
請求項１の発明では、電子部品および当該電子部品と対向する部品のうちの少なくとも一方に、他方と接したとき発色または他方に着色する接触記録手段を設けたので、電子部品と他の部品とが接して押圧力が作用すると、接触記録手段が発色する。このため、携帯機器を落としたりして故障した場合、点検修理の際にケースを開いて見ると、接触記録手段が発色または他方の部品に色が付いているので、電子部品に押圧力が作用したことが分かる。そこで、その電子部品を点検する。
【０００７】
請求項２の発明では、電子部品と押圧部材との間に作用する押圧力の大きさによって押圧部材の変形程度が変わるので、接触記録手段の発色の範囲または押圧部材による着色範囲を見ることによって電子部品に作用した押圧力の大きさが分かる。
【０００８】
【発明の実施の形態】
以下、本発明を携帯電話機（携帯機器）に適用した一実施例につき図１ないし図３を参照しながら説明する。
図３に示す携帯電話機１は、プラスチック製の複数の分割ケース、この実施例では、表ケース２と同じくプラスチック製の裏ケース３とを結合して構成された外ケース４を本体としている。この外ケース４の表ケース２は、上側が下側がよりも高く突出しており、この上側部分に液晶からなる表示器５が設けられていると共に、下側部分に各種のキースイッチ６が設けられている。また、裏ケース３には、電池収容室（図示せず）が形成されており、この電池収容室は着脱可能なプラスチック製の蓋７によって覆われている。
【０００９】
外ケース４の内部には、図１に示すように、プリント配線基板などからなる２枚の回路基板８および９が対向するように配設されている。そして、両回路基板８，９の互いに向き合う側の面には、電子部品としての半導体デバイス１０，１１が夫々実装されている。なお、両回路基板８，９には、図示はしないが他に多数の半導体デバイスなどの電子部品が実装されている。また、回路基板８，９は、両方共に表ケース２側に固定されていても良いし、両方共に裏ケース３に固定されていても良いし、一方が表ケース２に固定され、他方が裏ケース３に固定されていても良い。
【００１０】
上記のように回路基板８，９に実装された２個の電子部品としての半導体デバイス１０，１１は、僅かな隙間をもって互いに対向している。そして、両半導体デバイス１０，１１のうち、一方の半導体デバイス１０の表面（他方の半導体デバイス１１に向かい合う面）には、接触記録手段、この実施例では感圧記録手段としての感圧記録シート１２が貼り付けられている。
【００１１】
感圧記録シート１２は、例えば電子供与性発色性化合物などを溶解した油性物質を内包するカプセルを主成分とするマイクロカプセル組成物を支持体の片面に塗布した上用シート、支持体の片面に上記電子供与性発色性化合物と接触した時に呈色する電子受容性顕色剤を主成分とする顕色剤組成物を塗布し反対面に上記マイクロカプセル組成物を塗布した中用シート、および支持体の片面に上記顕色剤組成物を塗布した下用シートがあり、一般に、上用シートと下用シートの組み合わせ、或は上用シートと中用シートと下用シートとの組み合わせで使用されている。また、支持体の同一面に上記のマイクロカプセル組成物と電子受容性顕色剤組成物を塗布して一枚のシートとした単体複写シートとがある。
【００１２】
次に上記構成の作用を説明する。
携帯電話機１を落としたり、何かの間に挟んだりして、外ケース４に衝撃力や押圧力が作用したりすると、外ケース４が変形し、その変形が原因で、対向する２個の半導体デバイス１０，１１どうしが接触したとする。すると、半導体デバイス１０の表面に貼られた感圧記録シート１２が押圧力を受けて発色し、その発色部分が地色と違った色を呈する。
【００１３】
その後、携帯電話機１を使用したところ、動作不良となっていたとする。この携帯電話機１は点検修理のためにサービスセンタなどに持ち込まれるが、サービスセンタでは、外ケース４を表ケース２と裏ケース３とに分解して感圧記録シート１２を見る。すると、その感圧記録シート１２には、地色と異なる発色部分が存在しているので、先ず感圧記録シート１２が貼り付けられている半導体デバイス１０、この半導体デバイス１０と対向している半導体デバイス１１を点検する。この結果、２個の半導体デバイス１０．１１のいずれか、或は両方が故障していたことが分かれば、これに対して適当な修理処置を取る。
【００１４】
このように本実施例によれば、対向する２個の半導体デバイス１０，１１のうちの一方に感圧記録シート１２を貼り付けたので、携帯電話機１を落としたりして故障した場合、その点検修理の際の対応が容易となる。
また、半導体デバイス１０，１１に故障が多いということが統計的に示されれば、その部分の緩衝構造などに改良を加えるなど、故障対策を容易に取ることができる。
【００１５】
図４ないし図６は本発明の他の実施例を示すもので、上記一実施例との相違は感圧記録シート１２を貼り付けた一方の半導体デバイス１０に対して、他方の半導体デバイス１１の表面（半導体デバイス１０と対向する面）に弾性材製の錐状、例えばゴム製の円錐状の押圧部材１３を取着したところにある。
【００１６】
このように構成した場合、携帯電話機１を落としたり、何かの間に挟んだりして、外ケース４が変形し、半導体デバイス１０と押圧部材１３が接触したとする。すると、押圧部材１３は半導体デバイス１０との間に作用する押圧力によって変形するが、その変形量は押圧力に応じた量となる。このため、感圧記録シート１２が押圧力を受けて発色する範囲が押圧力の大きさによって変化する。
【００１７】
例えば、押圧力が小さい場合には、押圧部材１３の変形量は少ないので、感圧記録シート１２の発色領域は図５に示すようには小さな円形部分（白抜きで示す部分）となる。これに対し、押圧力が大きい場合は、押圧部材１３の変形量は多いので、感圧記録シート１２の発色領域は図６に示すように大きな円形部分となる。
このため、感圧記録シート１２の発色範囲を観察することにより、半導体デバイス１０，１１に作用した押圧力の大きさが分かるようになり、緩衝構造を改良するなどの対応策を検討する際、押圧力の大きさが分かるので、対応策を検討し易くなる。
【００１８】
また、本実施例では、押圧部材１３の衝撃緩衝作用により、特に携帯電話機１を落としてしまったような場合に半導体デバイス１０，１１に作用する衝撃力を緩和でき、故障防止に効果がある。
【００１９】
なお、本発明は上記し且つ図面に示す実施例に限定されるものではなく、以下のような拡張或は変更が可能である。
感圧記録シート１２は半導体デバイス１１に貼り付けても良い。また、両半導体デバイス１０，１１に貼り付けても良い。
感圧記録シート１２は、上用シートを一方の半導体デバイスに貼付け、他方の半導体デバイスに下用シートを貼り付けて構成しても良い。
感圧記録シート１２を貼り付ける対象は、互いに対向する部品が半導体デバイスどうしである場合に限られない。例えば、半導体デバイスが抵抗やコンデンサなどの他の電気部品と対向する場合、その電気部品と半導体デバイスのうち少なくとも一方に感圧記録シートを貼り付ければ良い。また、半導体デバイスが電子部品や電気部品ではなく、回路基板や外ケースなどの他の部品と対向する場合にも、半導体デバイスと当該他の部品のうち少なくとも一方に感圧記録シートを貼り付けるようにすれば良い。
更に、感圧記録シートの貼付け対象となる電子部品は半導体デバイスに限らず、液晶ディスプレイ装置などであっても良い。
感圧記録手段としては、感圧記録シート１２に限られず、マイクロカプセル組成物と顕色剤組成物とを半導体デバイスに直接塗布することにより構成しても良い。
接触記録手段は感圧記録シートに限られない。例えば、互いに対向する電子部品と他の部品のうち少なくとも一方に設けたインキ含有シートであっても良い。この場合には、両部品が接触すると、インキ含有シートのインキが相手部品に付いて当該相手部品が着色されるので、これによって両部品が接触したことが分かる。
押圧部材は、円錐状に限られず、角錐状であっても良く、円錐台状、角錐台状であっても良い。
本発明は携帯電話機１に限らず、カード状の計算機、ＰＤＡ（Ｐｅｒｓｏｎａｌ  ｄｉｇｉｔａｌ  ａｓｓｉｓｔａｎｔｓ）、携帯式ナビゲーション装置、その他の携帯可能な機器に広く適用できる。
【図面の簡単な説明】
【図１】本発明の一実施例を示すもので、要部の拡大側面図
【図２】半導体デバイスの平面図
【図３】一部破断して示す携帯電話機の側面図
【図４】本発明の他の実施例を示す図１相当図
【図５】押圧力小の場合の感圧記録シートの発色範囲を示す平面図
【図６】押圧力大の場合の図５相当図
【符号の説明】
図中、１は携帯電話機（携帯機器）、４は外ケース、８，９は回路基板、１０，１１は半導体デバイス（電子部品）、１２は感圧記録シート（接触記録手段）、１３は押圧部材である。
【図１】
2004207853.tif 000003
【図２】
2004207853.tif 000004
【図３】
2004207853.tif 000005
【図４】
2004207853.tif 000006
【図５】
2004207853.tif 000007
【図６】
2004207853.tif 000008